(57)【要約】 【課題】  複雑なフルキーリモコン装置を有する電子機器は操作が難しく、フルキーリモコンがないと実現できない操作が多い。【解決手段】  簡易リモコンシステムＡは、簡易リモコン装置１１と、簡易リモコン装置１１により操作される被操作機器である表示部３を備えたテレビ受信機１と、を有している。テレビ受信機１のフルキーリモコン７が、簡易リモコン１１と別に、テレビ受信機１に付属しているのが一般的である。フルキーリモコン７には、多くの操作ボタンが設けられている。簡易リモコン１１は、例えば、方向キー１５ａ〜１５ｄまでと、選択キー１７と、ｕｐ/ｄｏｗｎ選局キー２１と、音量大小キー２３と、電源キー２７と、入力切替キー３１と、放送切替キー３３と、を備えるとともに、フルキーリモコン表示キー２５を有している。【選択図】  図１
2006253858.tif 000002
【特許請求の範囲】
【請求項１】
表示部を備えた電子機器と、
該電子機器を操作するための第１の操作キー群を含む映像を前記表示部に表示させるための映像表示キーと、選択キー及び決定キーと、を備え、前記第１の操作キー群とは異なる第２の操作キー群を有する第１のリモートコントロール装置（以下。「リモコン装置」と称する。）と、を有することを特徴とする電子機器のリモートコントロールシステム。
【請求項２】
前記選択キー及び決定キーとにより前記第１の操作キー群のうちから実際に選択し決定された操作キーによる操作を実際の操作として前記電子機器の制御を行う制御部を有することを特徴とする請求項１に記載の電子機器のリモートコントロールシステム。
【請求項３】
前記選択キー及び決定キーとにより前記第１の操作キー群のうちから実際に選択し決定された操作キーによる操作を実際の操作と見なす対応テーブルを記憶するメモリを有することを特徴とする請求項２に記載の電子機器のリモートコントロールシステム。
【請求項４】
前記第１の操作キー群を備えた第２のリモコン装置を備えており、前記第１の操作キー群を含む映像は、前記第２のリモコン装置の映像であることを特徴とする請求項１から３までのいずれか１項に記載の電子機器のリモートコントロールシステム。
【請求項５】
前記制御部は、前記映像表示キーをオンオフにより前記第１の操作キー群の操作内容を変更することを特徴とする請求項２から４までのいずれか１項に記載の電子機器のリモートコントロールシステム。
【請求項６】
複数の電子機器に関する前記映像表示キーを有することを特徴とする請求項１から５までのいずれか１項に記載の電子機器のリモートコントロールシステム。
【請求項７】
前記第１のリモコン装置は、キー操作部が簡略された簡易リモコン装置であることを特徴とする請求項１から６までのいずれか１項に記載の電子機器のリモートコントロールシステム。
【請求項８】
前記第１の操作キー群を、前記表示部にＧＵＩ表示させる表示制御部を有することを特徴とする請求項１から７までのいずれか１項に記載の電子機器のリモートコントロールシステム。
【請求項９】
前記表示制御部は、前記選択キーにより前記第１の操作キー群を選択した際に、選択された操作キーに関するガイダンス表示を行うことを特徴とする請求項８に記載の電子機器のリモートコントロールシステム。
【請求項１０】
前記電子機器は、該電子機器とは異なる電子機器の操作を行うためのリモコン信号送出部を有することを特徴とする請求項１から９までのいずれか１項に記載の電子機器のリモートコントロールシステム。
【請求項１１】
表示部を備えた電子機器を操作するための第１の操作キー群を含む映像を前記表示部に表示させるための映像表示キーと、選択キー及び決定キーと、を備え、前記第１の操作キー群とは異なる操作キーを含む第２の操作キー群を有することを特徴とする電子機器のリモコン装置。
【請求項１２】
表示部を備えた電子機器であって、
該電子機器を操作するための第１の操作キー群を含む映像を前記表示部に表示させるための映像表示キーと、選択キー及び決定キーと、を備え、前記第１の操作キー群とは異なる第２の操作キー群を有し前記電子機器に設けられた操作部と、を有することを特徴とする電子機器。
【請求項１３】
表示部を備えた電子機器を操作するための第１の操作キー群を含む映像を前記表示部に表示させるステップと、
前記第１の操作キーを選択する選択キーと、操作を決定する決定キーと、により前記第１の操作キー群のうちから前記電子機器を操作するキーを選んで前記電子機器を制御するステップと
を有することを特徴とする電子機器の制御方法。
【請求項１４】
請求項１３に記載のステップをコンピュータに実行させるためのプログラム。
【発明の詳細な説明】
【技術分野】
【０００１】
本発明は、リモートコントロールシステム及びリモコン装置に関し、ＡＶ機器をはじめとする家電機器に対する操作と、リモコン装置自体の構造と、を簡単にすることができる簡易リモコンシステムに関する。
【背景技術】
【０００２】
ＡＶ機器をはじめとする電子機器の大型化と機能の複雑化に伴って、ユーザが遠隔から操作できるリモートコントロール装置（以下、「リモコン装置」と称する。）が必須になってきている。特に、近年のように家電機器の多機能やアナログ機能とデジタル機能との混在化に伴って、リモコン装置の操作ボタン数の増加とリモコン装置自体の大型化とが起こっており、さらに機器によっては複数のリモコンを必要とするような状況にもなっている。
【発明の開示】
【発明が解決しようとする課題】
【０００３】
上記のような状況にあると、リモコンにおいてユーザがほとんど利用しないボタンが多数存在し、大型のリモコン装置であるにもかかわらず実際にユーザが操作するキーは限定されており、その分だけ操作性を損ねるという問題があった。
【０００４】
本発明は、リモコン装置に関する操作性を簡単化させることを目的とする。さらに、簡単化されたリモコン装置を用いて複雑な操作にも対応できるようにすることを目的とする。
【課題を解決するための手段】
【０００５】
本発明に係るシステムは、リモコンキー及び本体キーの方向キー、選択決定キーは、フルキーリモコンのＧＵＩの表示時は受信機側で他のキーを代用して読み変えるように制御する。これにより、簡易リモコン装置の操作キー数を削減することもできる。例えば、簡易リモコン装置に備えられているフルリモコン表示キーを押すと、ＡＶ機器の表示部にフルキーリモコンを映像化した形態を有するＧＵＩが表示される。このＧＵＩ表示されたフルキーリモコンは、簡易リモコンにより操作することができ、あたかもフルキーリモコンを操作している感覚でＡＶ機器を操作することができる。
【０００６】
また、上記ＡＶ機器に、他の家電機器へのリモコン信号送出機能と信号が送出された家電機器をコントロールするリモコンのＧＵＩを持たせることもできる。このようにすると、複数機器を制御可能とするための家電機器のための複数種類のフルリモコン表示キーを行うことができるとともに、他の家電機器のリモコンキーを、簡易リモコン装置を用いて表示させたフルキーリモコンＧＵＩ表示を見ながらそれぞれの家電機器を操作することが可能となる。
【０００７】
すなわち、本発明の一観点によれば、表示部を備えた電子機器と、該電子機器を操作するための第１の操作キー群を含む映像を前記表示部に表示させるための映像表示キーと、選択キー及び決定キーと、を備え、前記第１の操作キー群とは異なる第２の操作キー群を有する第１のリモートコントロール装置と、を有することを特徴とする電子機器のリモートコントロールシステムが提供される。
【発明の効果】
【０００８】
本発明によれば、表示されたフルキーリモコンを簡易リモコン装置により操作して実際の電子機器を制御するため、ユーザが操作する場合の操作キー数を削減することができ、操作を簡単化することができる。また、フルキーリモコンをＧＵＩ表示する形態であるため、複数の家電機器に対応するフルキーリモコンを表示させることが簡単にできる。従って、１つの簡易リモコンを用いて複数の家電機器を制御することも可能である。ＧＵＩ表示制御に関するソフトウェアのバージョンアップにより、複数の家電機器を制御することができるようにすることも容易である。
【発明を実施するための最良の形態】
【０００９】
以下、本発明の実施の形態による簡易リモコン装置及びそれを用いたＡＶシステムについて図面を参照しつつ説明を行う。図１は、本発明の第１の実施の形態による簡易リモコンシステムの構成例を示す図である。図４は、本実施の形態による簡易リモコンシステムの内部構成例を示す機能ブロック図である。図７から図９までは、本発明の実施の形態による簡易リモコン装置及びシステムにおける処理の流れを示す図である。これらの処理は、プログラムに基づいて行われる。図１（Ａ）に示すように、本実施の形態による簡易リモコンシステムＡは、簡易リモコン装置１１と、簡易リモコン装置１１により操作される被操作機器、例えば表示部３を備えたテレビ受信機１と、を有している。図１（Ｂ）に示すように、テレビ受信機１のフルキーリモコン７が、簡易リモコン１１と別に、テレビ受信機１に付属しているのが一般的である。フルキーリモコン７には、多くの操作ボタンが設けられており、大きく重たいのが一般的である。
【００１０】
一方、簡易リモコン装置１１は、例えば、方向キー１５ａ〜１５ｄまでと、選択キー１７と、ｕｐ/ｄｏｗｎ選局キー２１と、音量大小キー２３と、電源キー２７と、入力切替キー３１と、放送切替キー３３と、の少数のキーを備えるのみである。ここで、簡易リモコン装置１１がフルキーリモコン表示キー２５を有している点に特徴がある。フルキーリモコン表示キー２５が押されると、表示部３にフルキーリモコン７と同様の形態を有するフルキーリモコンのＧＵＩ表示４１が行われる。
【００１１】
図４に示すように、本実施の形態による簡易リモコンシステムは、簡易リモコン送信機１１と、ＡＶ機器（この場合には、図１に示す液晶テレビジョン受像器）２００とを有している。ＡＶ機器２００は、簡易リモコン装置１１からの赤外線信号を受信するリモコン受信部２０１と、ＡＶ機器制御部２０３と、グラフィックスプレーン生成部２０５と、映像プレーン生成部２０７と、グラフィックスプレーンと映像プレーンとを合成する映像合成部２１１と、合成された映像に基づいて映像信号を生成する映像信号生成部２１３と、映像信号に基づいてＯＳＤなどによる映像を表示する映像表示部２１５と、を有している。ＡＶ機器制御部２０３には、後述する表示処理を行うためのプログラムを記録したＲＯＭ２０３ａが設けられている。
【００１２】
図７を参照し、本実施の形態による簡易リモコンシステムにおける処理について説明する。まずステップＳ１において処理を開始し、ステップＳ２においてフルキーリモコン表示キーを押した場合の信号を受信したか否かを判断する。フルキーリモコン表示キーが押されるとステップＳ３に進み、ここでフルキーリモコンＧＵＩ４１が表示されているか否かを判定する。この際、図１に示す表示部３の実映像表示５（ＡＢＣ）を隠さないようないような位置にフルキーリモコンＧＵＩ４１を表示するように表示制御を行っても良いし、画面表示が見えるように（透過できるように）表示制御を行うようにすることも可能である。
【００１３】
フルキーリモコンＧＵＩ４１が未表示であれば（Ｙ）、ステップＳ４に進みフルキーリモコンＧＵＩを図１に示すように、テレビ画面３に表示する。フルキーリモコンＧＵＩ４１が表示されていれば（Ｎ）、フルキーリモコンの表示オフの指示とみなしてフルキーリモコンＧＵＩを未表示にし、ステップＳ２に戻る。適切な操作を行った後には、ステップＳ４からステップＳ２に戻る。
【００１４】
図８は、図７のステップＳ４におけるフルキーボード表示中の処理の流れを示す図である。図８に示すように、ステップＳ１１において処理を開始し、ステップＳ１２においてテレビ受信機１操作用（尚、ステップＳ１２においては、テレビ受信機を操作するためのコードであれば何を受けても良い。）キーコードを受信したか否かを判断する。テレビ受信機１操作用キーコードを受信すると（Ｙ）、ステップＳ１３に進み、フルキーリモコンＧＵＩを表示中であるか否かを判断する。ＧＵＩ表示中でなければ（Ｎ）、ステップＳ１７に進み、受信キーコードに従った処理を行いステップＳ１２に戻る。ステップＳ１３においてＧＵＩ表示中であれば（Ｙ）、ステップＳ１４に進み、受信コードが選択決定キーであるか又は方向キーであるかを判定する。いずれでもない場合には、ステップＳ１７に進み、受信キーコードに従った処理を行う。いずれかであれば、ステップＳ１５に進み、受信コードは方向キーであるかどうかを判定する。受信キーは方向キーでなければ（Ｎ）受信キーは選択決定キーであるため、フルキーリモコンＧＵＩで現在キーのある位置のコードを受信機の受信キーコードとし、ステップＳ１７に進み受信キーコードに従った処理を行いステップＳ１２に戻る。ステップＳ１５において、受信コードは方向キーであれば（Ｙ）、ステップＳ１６に進み、方向に応じてフルキーリモコンＧＵＩでのキーの位置の移動処理を行う。次いで、ステップＳ１２に戻る。
【００１５】
このようにフルキーリモコン表示中のキー受信処理は、選択決定キー又は方向キーはＧＵＩ上の操作（簡易リモコンにフルキーリモコンと同じキーの送出が出来るときにはそれを受け付けることができる。例えば、放送切換キーや入力切替キーなどが該当する。）を受け付け、例えば選択決定キー１７を押すと、図１に示されているフルキーリモコン４１の多数の各種操作ボタンのうちから、ユーザが操作を行いたい操作キーを選択することができる。選択されたキーは、点滅などの状態によりユーザに選択中である旨をわかりやすく報知するようにしても良いし、選択しているキーの名称又は機能を例えば吹き出しなどの補助表示してユーザに理解しやすいようにすることも可能である。
【００１６】
以上に説明したように、本実施の形態による簡易リモコン装置及びシステムにおいては、簡易リモコンのフルキーリモコン表示キーを押すことにより、液晶テレビ１の表示画面３に、フルキーリモコンＧＵＩ４１を表示させることができる。フルキーリモコンＧＵＩ４１表示は、ユーザの操作の目安として有用であり、ユーザは、簡易リモコンの選択キーと決定キーのみにより、上記フルキーリモコンＧＵＩ４１に表示されている複雑な操作キーを選択し、決定キーによりその選択された操作キーによる操作を行うことができるため、少ないキー数の簡易リモコンを用いて複雑な操作をわかりやすく行うことができるという利点がある。
【００１７】
尚、上述のように、フルキーリモコンＧＵＩ４１と実際の映像やフルキーリモコンのＧＵＩ以外のメニューなどのＧＵＩとが映像画面上で重なった場合には、フルキーリモコンＧＵＩ４１を実際の映像に重ねないように、表示寸法又は表示位置を変更する制御を行うようにするのが好ましい。
【００１８】
図９は、本実施の形態の変形例による簡易リモコン装置に基づく処理の流れを示すフローチャート図である。図９に示すように、本変形例による簡易リモコン装置を用いた処理においては、ステップＳ２１において処理を開始し、ステップＳ２２においてテレビ受信機１操作用キーコードを受信したか否かを判断する。テレビ受信機１操作用キーコードを受信すると（Ｙ）、ステップＳ２３に進み、フルキーリモコンＧＵＩを表示中であるか否かを判断する。ＧＵＩ表示中でなければ（Ｎ）、ステップＳ２７に進み、受信キーコードに従った処理を行いステップＳ２２に戻る。ステップＳ２３においてＧＵＩ表示中であれば（Ｙ）、ステップＳ２４に進み、受信コードが下記に示すコードであるかどうかを判断する。これらのコードとは、選局アップキー（カーソル上と判断）、選局ダウンキー（カーソル下と判断）、音量大キー（カーソル下と判断）、音量小キー（カーソル下と判断）、放送切替キー（決定キーと判断）のいずれかであり、キー操作を（  ）内の操作に読み替える処理を行う。受信コードが上記に示すコードである場合には、ステップＳ２５に進み、放送切替キーであるか否かを判断する。放送切替キーでない場合には（Ｎ）、キーを決定キーと判断し、ステップＳ２８に進む。ステップＳ２８において、フルキーリモコンのＧＵＩで現在キーのある位置のコードを、受信機の受信キーコードとし、ステップＳ２７に進む。
【００１９】
放送切替キーである場合には（Ｙ）ステップＳ２６に進み、受信キーコードが下記のいずれであるかを判断する。
【００２０】
１）選局アップダウンキー２１のアップキーの受信キーコードである場合には、ステップＳ２９においてキーをカーソル上へ移動させるキーコードであると判断する。
【００２１】
２）選局アップダウンキー２１のダウンキーの受信キーコードである場合には、ステップＳ３０においてキーをカーソル下へ移動させるキーコードであると判断する。
【００２２】
３）音量キー２３の音量大キーの受信キーコードである場合には、ステップＳ３１においてキーをカーソル右へ移動させるキーコードであると判断する。
【００２３】
４）選局アップアップダウンキー２１のダウンキーの受信キーコードである場合には、ステップＳ３２においてキーをカーソル下とへ移動させるキーコードである判断する。
【００２４】
次いで、ステップＳ２９からステップＳ３２のいずれの場合でも、判断されたキーコードをキー操作がカーソルの方向に応じてフルキーリモコンＧＵＩ４１上で行われたものとして現在選択されているキーの位置が移動（点滅）し、決定キーにより実際の機器の操作が行われる。１つの操作が行われた場合には、以上と同様の操作を再びステップＳ２２に戻って行うことになる。但し、簡易リモコン装置により連続して操作を行う場合には、フルキーリモコンＧＵＩ１４１を表示させたままで簡易リモコン装置により操作を継続すれば良い。簡易リモコン装置１１のフルキーリモコン表示キー２５又は電源２７をオフにすることで、フルキーリモコンが表示されなくなる。
【００２５】
以上に説明したように、本発明の第１の実施の形態による簡易リモコン装置及びそれを用いたＡＶシステムによれば、簡易リモコンによりＡＶ機器の表示部に、フルキーリモコンのＧＵＩ表示をさせることができるため、簡易リモコンによる簡単な操作で、フルキーリモコンと同等の操作を行うことができる。フルキーリモコンのＧＵＩ表示においては、例えば、表示の大きさを任意に設定することができるようにしておくことにより、ユーザの好みや状況に応じて表示サイズを図４に示すグラフィックスプレーン生成部２０５により生成して、映像表示部２１５に表示させることができる。従って、ユーザにとって使い勝手が良くなるという利点がある。
【００２６】
次に、本実施の形態の変形例による簡易リモコン装置について、図２を参照しつつ説明を行う。図２に示すように、本変形例による簡易リモコン装置５１は、選局/上下カーソルキー５３と、音量大小/カーソル左右キー５５と、フルキーリモコン表示キー５７と、電源キー６１と、入力切替キー６３と、放送切替/決定キー６５と、を有している。ここで、選局/上下カーソルキー５３と、音量大小/カーソル左右キー５５と、は、フルキーリモコン表示キー５７を押すことによりフルキーリモコン用ＧＵＩを表示させていない場合には、選局キー及び音量大小キーとして機能する。一旦、フルキーリモコン用ＧＵＩを表示させた場合には、選局/上下カーソルキー５３と及び音量大小/カーソル左右キー５５は、上下カーソルキー及びカーソル左右キーとして機能するようになっている。
【００２７】
このように、本実施の形態の変形例による簡易リモコン装置においては、フルキーリモコン用ＧＵＩの表示・非表示に基づいて、簡易リモコンの操作キーの機能が変更されるという特徴がある。このように構成することにより、簡易リモコン装置の少ないキー操作ボタンを有効に利用することができるという利点がある。
【００２８】
次に、本発明の第２の実施の形態による簡易操作装置及びそれを用いたＡＶシステムについて図面を参照しつつ説明を行う。図５は、本発明の第２の実施の形態による簡易操作装置及びそれを用いたＡＶシステムの一構成例を示す図である。図５に示す構成と図４に示す構成とで同じ構成に関しては、符号に１００を加えてその説明を省略する。図５に示すように、本実施の形態によるの相違点は、図４ではフルキーリモコンのＧＵＩ表示及びそれに基づく操作に関して、簡易リモコン装置を用いているのに対して、図５では、第１の実施の形態による簡易リモコンと同様の操作部を有する本体操作部３０１に対して、ユーザが簡易リモコンと同様の操作を行う構成について示している。本実施の形態による簡易操作装置及びそれを用いたＡＶシステムを用いると、ＡＶ機器３００の本体に設けられた操作部を簡単な操作キーのみにすることができるという利点がある。また、本実施の形態による簡易操作装置及びそれを用いたＡＶシステムによれば、例えば、第１の実施の形態による簡易リモコン装置と並行して本体操作部を利用することも可能である。その際に、キー配置を簡易リモコン装置と本体操作部とを同じようなキー配列にしておくことで、ユーザはいずれの操作に関しても同様の操作性を有することになり便利である。本体に簡易リモコンを取り付けて直接に操作することも可能である。
【００２９】
次に、本発明の第３の実施の形態による簡易リモコン装置及びそれを用いた家電機器システムについて図面を参照しつつ説明を行う。図６は、本実施の形態による簡易リモコン装置及びそれを用いた家電機器システムの一構成例を示す機能ブロック図である。図１０は、本実施の形態による簡易リモコン装置及びそれを用いた家電機器システムの一構成例を示すシステム構成図である。図３（Ａ）から図３（Ｃ）までは、本発明の第３の実施の形態による簡易リモコン装置の正面図と、ＶＴＲ制御用のＧＵＩイメージと、エアコン制御用ＧＵＩイメージの例を示す図である。
【００３０】
図３（Ａ）は、本実施の形態による簡易リモコン装置の正面図であり、図３（Ｂ）及び図３（Ｃ）は、簡易リモコン装置により表示されたＶＴＲ制御用ＧＵＩイメージ及びエアコン制御用ＧＵＩイメージとの例を示す図である。図３（Ａ）に示すように、本実施の形態による簡易リモコン１０１は、選択キー１０３と、上下左右の決定キー１０５ａから１０５ｄまでと、選局キー１０７と、音量調整キー１１１と、電源キー１１８と、入力切替キー１２１と、放送切替キー１２３と、フルキーリモコン表示キー１１３と、他機器リモコン表示キー１及び２（１１５、１１７）と、を有している。図２に示す例との相違点は、他機器リモコン表示キーを有していることである。
【００３１】
例えば、他機器リモコン表示キー１１５を押すと、図３（Ｂ）に示すＶＴＲ制御用ＧＵＩ１３１が表示される。図３（Ｂ）に示すように、ＶＴＲ制御用ＧＵＩ表示１３１は、録画キー１３３と、停止キー１３５と、一次停止キー１３７と、巻き戻しキー１３９と、再生キー１４１と、早送りキー１４３と、電源キー１４５と、入力切替キー１４７と、選局キー１４９とを有しており、一般的なＶＴＲ制御用のリモコンキーと同等の機能を発揮できるようになっている。図３（Ｃ）に示すように、エアコン制御用ＧＵＩ表示１５１は、冷房キー１５３と、除湿キー１５５と、暖房キー１５７と、風向き変更キー１６１と、風量調整キー１６３と、温度アップダウンキー１６５と、電源キー１６７と、を有しており、一般的なエアコン制御用のリモコンキーと同等の機能を発揮できるようになっている。
【００３２】
図６に示すように、本実施の形態によるシステム構成例においては、図４に示すシステム構成に加えて、被制御側家電機器Ａ４２３と被制御側家電機器Ｂ４２５とを有している。尚、ここでは被制御側家電機器の数を２としたが、数を限定するものではない。さらに、ＡＶ機器４００には、ＡＶ機器制御部４０５からの指示に基づいて、被制御側家電機器Ａ４２３と被制御側家電機器Ｂ４２５とに対して、それぞれの装置に対する制御に関する指示信号を送るリモコン送信部４２１を有している点を特徴とする。
【００３３】
要するに、本実施の形態による簡易リモコン装置及びそれを用いた家電機器システムにおいては、ＡＶ機器４００の映像表示部４１７にフルキーリモコンのＧＵＩ表示を行うが、このフルキーリモコンＧＵＩは、ＡＶ機器４００を制御するとともに、或いは、ＡＶ機器４００を制御する代わりに、被制御側家電機器Ａ４２３又は被制御側家電機器Ｂ４２５を制御するためのフルキーリモコンＧＵＩである。ユーザは、簡易リモコン装置４０１を用いて、被制御側家電機器Ａ４２３又は被制御側家電機器Ｂ４２５に適したフルキーリモコンＧＵＩを操作することにより、間接的に被制御側家電機器Ａ４２３又は被制御側家電機器Ｂ４２５を操作することができる。
【００３４】
この際、リモコン送信部４２１は、ＡＶ機器制御部の指示に基づいて、フルキーリモコンＧＵＩを表示されることで現在制御対象となっている被制御側家電機器Ａ４２３又は被制御側家電機器Ｂ４２５に対する指示として取り扱うように構成されている。例えば、被制御側家電機器Ａ４２３のＧＵＩ表示を行った場合には、まず、簡易リモコンからのＧＵＩ表示に基づくＧＵＩ表示上でのキー操作に応じて、図６に示すＡＶ機器制御部４０５において被制御側家電機器Ａ４２３に対する指示コードに変換し、これをリモコン送信部４２１から被制御側家電機器Ａ４２３に対して赤外線により送信して被制御側家電機器Ａ４２３の制御信号とする。要するに、被制御側家電機器を操作対象とする場合には、被制御側家電機器を操作できる制御信号がリモコン送信部４２１から出射されるように、ＧＵＩ表示の操作キーと制御信号とを関連付けしたテーブルを記憶しておけば良い。
【００３５】
被制御側家電機器Ａ４２３又は被制御側家電機器Ｂ４２５のいずれに対する指示であるかは、例えば、リモコンコードに被制御側家電機器毎にユニークなＩＤを付しておくことで特定可能である。或いは、類似の被制御側家電機器が複数台ある場合には、制御対象のみをＩＤで特定し、同じフルキーリモコンＧＵＩを表示させての簡易リモコン装置の操作を行うようにしても良い。
【００３６】
以上、本実施の形態による簡易リモコン装置及びそれを用いた家電機器システムにおいては、フルキーリモコンＧＵＩを表示させる映像表示部を有するＡＶ機器を介して、１又はそれ以上の他の被制御側家電機器を簡易リモコン装置による操作に基づいて操作を行うことができるため簡易リモコン装置の共通化が可能であり、また、システムの拡張性も高いことから極めて便利である。
【００３７】
本発明の実施の形態の変形例について説明する。図１０に示すように、本変形例による簡易リモコン装置及びそれを用いた家電機器システム５００は、簡易リモコン装置４０１と、映像表示部５０３を備えたＡＶ機器、例えば液晶テレビ受像器５０１と、被制御家電機器の一例として記録再生装置５０５と、を有している。液晶テレビ受像器５０１は、簡易リモコン装置４０１からの赤外線による指示を受けるリモコン受光部（図示せず）を有している。記録再生装置５０５は、例えば、２トレイ方式のディスク着脱口を有するとともに、赤外線受光部５１５と操作部５１１とを備えている。また、液晶テレビ受像器５０１、接続ケーブル５１７によりＡＶマウス装置（ビデオマウス装置）５１９と接続されており、記録再生装置５０５の赤外線受光部５１５に対して赤外線信号が到達する位置にＡＶマウス装置（ビデオマウス装置）５１９が設置されている。さらに、多くの被制御装置に対応するビデオマウス装置が設置されていても良い。
【００３８】
このような構成にすることにより、被制御機器である家電機器数を必要に応じて拡張することができるという利点がある。
【００３９】
以上、本発明の各実施の形態においては、受信機はグラフィックス上の操作を実際にキーコードを受信したように動作することによりフルリモコンの機能を実現でき、実際のフルキーリモコンのキー配列に近くすることで、操作者が新たなキー配列を覚えることなく操作することが出来る。上記の構成により、グラフィックスによる吹き出し表示や音声などによるリモコンキーの機能の説明などのキーガイダンス機能や、不要キー（現在の受信機のモードでは使えないで無視されるキー）の明示などユーザーフレンドリーな機能の実現できる。
【００４０】
尚、フルキーリモコンのGUIでOSDメニューを操作するときなど実映像がOSDメニューにより隠れて見えなくならないように表示を制御することも可能である。例えば、フルキーリモコンのGUIの配置を実映像から避けた位置に表示させる制御を行ったり、ブレンディング（フルキーリモコンのGUI半透明にする）などの調整をすると良い。
【００４１】
尚、上記各実施の形態においては、映像表示機器として液晶ＴＶなどのＡＶ機器を、被制御装置としてＤＶＤレコーダなどの記録再生装置を例にして説明したが、これらの機器に限定されるものではない。例えば、映像表示機器としてパーソナルコンピュータやＰＤＡ、携帯電話機などを適用し、被制御装置として他の家電機器、例えば、エアコン装置や洗濯機などを対象とすることができる。またフルキーリモコンは対象機器が複数の種類存在しても良い。
【産業上の利用可能性】
【００４２】
本発明は、特に、複雑なフルキーリモコン装置を有する電子機器に利用可能である。
【図面の簡単な説明】
【００４３】
【図１】本発明の第１の実施の形態による簡易リモコンシステムの構成例を示す図である。
【図２】図１の変形例による簡易リモコンシステムの構成例を示す図である。
【図３】図３（Ａ）から図３（Ｃ）までは、本発明の第３の実施の形態による簡易リモコン装置の正面図と、ＶＴＲ制御用のＧＵＩイメージと、エアコン制御用ＧＵＩイメージの例を示す図である。
【図４】本実施の形態による簡易リモコンシステムの内部構成例を示す機能ブロック図である。
【図５】本発明の第２の実施の形態による簡易操作装置及びそれを用いたＡＶシステムの一構成例を示す図である。
【図６】本発明の第３の実施の形態による簡易リモコン装置及びそれを用いた家電機器システムの一構成例を示す機能ブロック図である。
【図７】本発明の実施の形態による簡易リモコン装置及びシステムにおける処理の流れを示す図である。
【図８】本発明の実施の形態による簡易リモコン装置及びシステムにおける処理の流れを示す図である。
【図９】本発明の実施の形態による簡易リモコン装置及びシステムにおける処理の流れを示す図である。
【図１０】本発明の第３の実施の形態による簡易リモコン装置及びそれを用いた家電機器システムを用いた家電機器システムの一構成例を示すシステム構成図である。
【符号の説明】
【００４４】
Ａ…簡易リモコンシステム、３…表示部、７…フルキーリモコン、１１…簡易リモコン装置、１５ａ〜１５ｄ…方向キー、１７…選択キー、２１…ｕｐ/ｄｏｗｎ選局キー、２３…音量大小キー、２５…フルキーリモコン表示キー、２７…電源キー、３１…入力切替キー、３３…放送切替キー。
【図１】
2006253858.tif 000003
【図２】
2006253858.tif 000004
【図３】
2006253858.tif 000005
【図４】
2006253858.tif 000006
【図５】
2006253858.tif 000007
【図６】
2006253858.tif 000008
【図７】
2006253858.tif 000009
【図８】
2006253858.tif 000010
【図９】
2006253858.tif 000011
【図１０】
2006253858.tif 000012